(57)【要約】【課題】各クリップが外力が作用しない単独の状態の時に開く構成を採用してクリップの開閉動作をスムーズに行えるようにすると同時に、クリップがシース内にある時に、クリップをスムーズに進退及び回転動作させることができる動作性能の優れた内視鏡用クリップ装置を提供すること。【解決手段】各クリップ３Ａ，３Ｂは外力が作用しない単独の状態では開いていて、クリップ３Ａ，３Ｂに進退自在に被嵌された締め環４をクリップ３Ａ，３Ｂの前側寄りに移動させるとクリップ３Ａ，３Ｂが閉じた状態に弾性変形し、後側寄りに移動させるとクリップ３Ａ，３Ｂが自己の弾性によって開いた状態に戻る内視鏡用クリップ装置において、クリップ３Ａ，３Ｂがシース１内にある時は、そのクリップ３Ａ，３Ｂが締め環４により閉じきられた状態になっているようにした。【選択図】      図１
2007275269.tif 000002
【特許請求の範囲】
【請求項１】
弾性変形させることにより嘴状に開閉させることができる複数のクリップが、内視鏡の処置具挿通チャンネルに挿脱されるシースの先端内に各々窄まった状態で直列に配置され、上記シース内に軸線方向に進退自在に配置された操作ワイヤにより上記複数のクリップが上記シースの先端から順次押し出されて、上記各クリップが一旦開いた後に閉じることができるように構成された内視鏡用クリップ装置であって、
上記各クリップは外力が作用しない単独の状態では開いていて、上記クリップに進退自在に被嵌された締め環を上記クリップの前側寄りに移動させると上記クリップが閉じた状態に弾性変形し、後側寄りに移動させると上記クリップが自己の弾性によって開いた状態に戻る内視鏡用クリップ装置において、
上記クリップが上記シース内にある時は、そのクリップが上記締め環により閉じきられた状態になっているようにしたことを特徴とする内視鏡用クリップ装置。
【請求項２】
上記クリップが上記シース内にある時は、そのクリップに被嵌された上記締め環がそのクリップに対する進退範囲の前端付近に位置している請求項１記載の内視鏡用クリップ装置。
【請求項３】
上記クリップが上記締め環により閉じきられた状態では、上記クリップの先端部分が上記シースの内周面に接触しないサイズに窄まっている請求項１又は２記載の内視鏡用クリップ装置。
【請求項４】
上記締め環を上記クリップに対する進退範囲の前端位置に係脱自在に弾力的に係止するための締め環係止手段が上記クリップに設けられている請求項１ないし３のいずれかの項に記載の内視鏡用クリップ装置。
【請求項５】
上記締め環が上記締め環係止手段により上記クリップにクリック係止されている請求項４記載の内視鏡用クリップ装置。
【請求項６】
上記締め環係止手段が、上記クリップの先端近傍の幅方向に段差を形成して形成されている請求項４又は５記載の内視鏡用クリップ装置。
【請求項７】
上記締め環係止手段が、上記クリップの先端近傍の背部に外方に突出する突起を形成して形成されている請求項４又は５記載の内視鏡用クリップ装置。
【請求項８】
上記締め環が小判形の断面形状に形成されている請求項１ないし７のいずれかの項に記載の内視鏡用クリップ装置。
【請求項９】
上記締め環が円形の断面形状に形成されている請求項１ないし７のいずれかの項に記載の内視鏡用クリップ装置。
【請求項１０】
上記締め環が径方向に変形可能な非円形の断面形状に形成されている請求項１ないし７のいずれかの項に記載の内視鏡用クリップ装置。
【請求項１１】
上記締め環が正方形の四つの辺の各中央部分が外方にＶ状に突出した断面形状に形成されている請求項１０記載の内視鏡用クリップ装置。
【請求項１２】
上記シースの先端開口付近が複数のスリットで分断された形状に形成されていて、上記締め環は上記先端開口を弾力的に押し広げながら上記先端開口内を通過する請求項１ないし１１のいずれかの項に記載の内視鏡用クリップ装置。  
【請求項１３】
上記締め環が、上記シースの先端開口内を通過する前に上記クリップの後側寄りに移動させられた状態になる請求項１２記載の内視鏡用クリップ装置。  
【請求項１４】
上記複数のクリップの中の後端位置のクリップの後端部分に係脱自在な連結部材が上記操作ワイヤの先端部分に取り付けられていて、その連結部材の背部には、上記シースの内周面側に向かって突出する球面状の突起が突設されている請求項１ないし１３のいずれかの項に記載の内視鏡用クリップ装置。
【請求項１５】
上記各クリップの先端部分に上記各クリップの閉じ方向に向かって折れ曲がった先端爪部が形成されると共に、上記先端爪部を差し込み係合自在な寸法形状の連結孔が開口面を上記各クリップの開閉方向と平行方向に向けて上記各クリップの後端部分に形成され、隣り合うクリップの先端爪部と連結孔とを係合させることにより、上記複数のクリップが上記シース内において軸線周り方向に９０°ずつ交互に向きを変えて直接連結される請求項１ないし１４のいずれかの項に記載の内視鏡用クリップ装置。
【発明の詳細な説明】
【技術分野】
【０００１】
この発明は、生体内等において止血やマーキング等を行うために内視鏡の処置具挿通チャンネルに通して使用される内視鏡用クリップ装置に関する。
【背景技術】
【０００２】
管腔臓器内等において止血やマーキング等を行うためのクリッピング処置が、クリップ装置を内視鏡の処置具挿通チャンネルに通して行われているが、クリッピング処置を一回行う毎にクリップ装置を内視鏡の処置具挿通チャンネルから引き出してクリップを装填し直すのでは操作があまりに煩雑になってしまう。
【０００３】
そこで、内視鏡の処置具挿通チャンネルに挿脱されるシースの先端内に複数のクリップを各々窄まった状態に直列に配置し、シース内に軸線方向に進退自在に配置された操作ワイヤで複数のクリップをシースの先端から順次押し出して、各クリップを一旦開いた後に閉じることができるように構成された内視鏡用クリップ装置が案出されている（例えば、特許文献１）。
【特許文献１】特開２００２−３３０９７２
【発明の開示】
【発明が解決しようとする課題】
【０００４】
しかし、特許文献１に記載されているような従来の内視鏡用クリップ装置においては、各クリップが、外力が作用しない単独の状態では軽く閉じた状態になる形状に形成されていて、クリップに進退自在に被嵌された締め環をクリップの前後方向に移動させることでクリップを塑性変形させて開閉させているので、クリップの開閉動作をスムーズに行わせるのが難しい。
【０００５】
そこで、各クリップが外力が作用しない単独の状態では開いていて、締め環をクリップの前側寄りに移動させるとクリップが閉じた状態に弾性変形し、後側寄りに移動させるとクリップが自己の弾性によって開いた状態に戻る構成を採用する方がクリップの開閉動作をスムーズに行わせることができる。そのような内視鏡用クリップ装置については、本願の出願人が特願２００５−３３４として特許出願をしてある。
【０００６】
しかしそのように各クリップが外力が作用しない単独の状態の時に開く構成を採用すると、クリップがシース内にある時に、クリップが自己の弾性によりシース内で開こうとしているのでクリップとシースとの間に摩擦抵抗が生じ、シース内で複数連結された各クリップ毎にそれが発生するので、クリップの進退及び回転の動作が渋くなってスムーズに動作しない場合があるという問題が生じていた。
【０００７】
そこで本発明は、各クリップが外力が作用しない単独の状態の時に開く構成を採用してクリップの開閉動作をスムーズに行えるようにすると同時に、クリップがシース内にある時に、クリップをスムーズに進退及び回転動作させることができる動作性能の優れた内視鏡用クリップ装置を提供することを目的とする。
【課題を解決するための手段】
【０００８】
上記の目的を達成するため、本発明の内視鏡用クリップ装置は、弾性変形させることにより嘴状に開閉させることができる複数のクリップが、内視鏡の処置具挿通チャンネルに挿脱されるシースの先端内に各々窄まった状態で直列に配置され、シース内に軸線方向に進退自在に配置された操作ワイヤにより複数のクリップがシースの先端から順次押し出されて、各クリップが一旦開いた後に閉じることができるように構成された内視鏡用クリップ装置であって、各クリップは外力が作用しない単独の状態では開いていて、クリップに進退自在に被嵌された締め環をクリップの前側寄りに移動させるとクリップが閉じた状態に弾性変形し、後側寄りに移動させるとクリップが自己の弾性によって開いた状態に戻る内視鏡用クリップ装置において、クリップがシース内にある時は、そのクリップが締め環により閉じきられた状態になっているようにしたものである。
【０００９】
なお、クリップがシース内にある時は、そのクリップに被嵌された締め環がそのクリップに対する進退範囲の前端付近に位置していてもよく、クリップが締め環により閉じきられた状態では、クリップの先端部分がシースの内周面に接触しないサイズに窄まっているとよい。
【００１０】
また、締め環をクリップに対する進退範囲の前端位置に係脱自在に弾力的に係止するための締め環係止手段がクリップに設けられていてもよく、締め環が締め環係止手段によりクリップにクリック係止されていてもよい。
【００１１】
そして、締め環係止手段が、クリップの先端近傍の幅方向に段差を形成して形成されていてもよく、或いは、クリップの先端近傍の背部に外方に突出する突起を形成して形成されていてもよい。
【００１２】
また、締め環が小判形又は円形の断面形状に形成されていてもよい。或いは、締め環が径方向に変形可能な非円形の断面形状に形成されていてもよく、その場合、締め環が、正方形の四つの辺の各中央部分が外方にＶ状に突出した断面形状に形成されていてもよい。
【００１３】
また、シースの先端開口付近が複数のスリットで分断された形状に形成されていて、締め環は先端開口を弾力的に押し広げながら先端開口内を通過するようにしてもよく、その場合、締め環が、シースの先端開口内を通過する前にクリップの後側寄りに移動させられた状態になるようにしてもよい。
【００１４】
また、複数のクリップの中の後端位置のクリップの後端部分に係脱自在な連結部材が操作ワイヤの先端部分に取り付けられていて、その連結部材の背部には、シースの内周面側に向かって突出する球面状の突起が突設されていてもよい。
【００１５】
また、各クリップの先端部分に各クリップの閉じ方向に向かって折れ曲がった先端爪部が形成されると共に、先端爪部を差し込み係合自在な寸法形状の連結孔が開口面を各クリップの開閉方向と平行方向に向けて各クリップの後端部分に形成され、隣り合うクリップの先端爪部と連結孔とを係合させることにより、複数のクリップがシース内において軸線周り方向に９０°ずつ交互に向きを変えて直接連結されるようにしてもよい。
【発明の効果】
【００１６】
本発明によれば、各クリップは、外力が作用しない単独の状態では開いていて、クリップに進退自在に被嵌された締め環をクリップの前側寄りに移動させるとクリップが閉じた状態に弾性変形し、後側寄りに移動させるとクリップが自己の弾性によって開いた状態に戻る構成なので、クリップの開閉動作がスムーズに行われ、さらに、クリップがシース内にある時は、そのクリップが締め環により閉じきられた状態になっているので、クリップをスムーズに進退及び回転動作させることができる。
【発明を実施するための最良の形態】
【００１７】
弾性変形させることにより嘴状に開閉させることができる複数のクリップが、内視鏡の処置具挿通チャンネルに挿脱されるシースの先端内に各々窄まった状態で直列に配置され、シース内に軸線方向に進退自在に配置された操作ワイヤにより複数のクリップがシースの先端から順次押し出されて、各クリップが一旦開いた後に閉じることができるように構成された内視鏡用クリップ装置であって、各クリップは外力が作用しない単独の状態では開いていて、クリップに進退自在に被嵌された締め環をクリップの前側寄りに移動させるとクリップが閉じた状態に弾性変形し、後側寄りに移動させるとクリップが自己の弾性によって開いた状態に戻る内視鏡用クリップ装置において、クリップがシース内にある時は、そのクリップが締め環により閉じきられた状態になっているようにする。
【実施例】
【００１８】
図面を参照して本発明の実施例を説明する。
図３は内視鏡用クリップ装置の全体構成を示しており、図示されていない内視鏡の処置具挿通チャンネルに挿脱される可撓性のシース１内に操作ワイヤ２が軸線方向に進退自在に全長にわたって挿通配置されている。
【００１９】
１０は操作部であり、シース１の基端が連結された操作部本体１１に対して操作ワイヤ２の基端が連結されたスライド操作部材１２をスライド操作することにより、シース１内で操作ワイヤ２が進退して、クリップ３をシース１の先端から押し出して開閉させることができる。
【００２０】
図１は内視鏡用クリップ装置の先端付近の側面断面図、図２は、図１におけるII−II断面を図示する断面図であり、この実施例のシース１は、例えば四フッ化エチレン樹脂チューブ等のような可撓性チューブにより形成されている。ただし、ステンレス鋼線を一定の径で密着巻きしたコイルパイプ等で形成してもよい。
【００２１】
シース１の最先端部分には金属製又はプラスチック製の円筒状の先端チップ７が固定的に取り付けられている。先端チップ７は、内径寸法がシース１と略同じに形成されていて、シース１の一部分を構成するものとして捉えられるものである。
【００２２】
先端チップ７の最先端部分は少し径を狭めた先端開口７ａになっていて、先端チップ７の最先端面から後方に向かって複数のスリット７ｂが軸線と平行方向に、図２にも示されるように、例えば１２０°間隔（９０°間隔等であってもよい）で形成されている。したがって、先端チップ７の先端開口７ａ部分は拡径する状態に弾性変形させることができる。
【００２３】
操作ワイヤ２の先端には、二番目のクリップ３Ｂと係脱可能に連結される連結部材５が連結パイプ６を介して固定的に連結されている。連結部材５の最先端部分には、後述するクリップ３の最先端部分と同様の一対の先端爪部５ａが向かい合う状態に折り曲げ形成されている。
【００２４】
また、連結部材５の背部には、シース１の内周面側に向かって突出する球面状の突起５ｂが突設されていて、シース１内で連結部材５がふらつかず且つシース１の内周面との間に大きな摩擦抵抗や引っ掛かりが発生しないようになっている。
【００２５】
シース１の先端部分内には、嘴状に開閉させることができる複数の（この実施例では２個の）クリップ３（３Ａ，３Ｂ）が各々窄まった状態で直列に配置されており、操作ワイヤ２により複数のクリップ３をシース１の先端から順次押し出して、クリップ３を一旦開いた後に閉じることができるように構成されている。
【００２６】
各クリップ３は、例えばステンレス鋼板等のようなバネ性のある一枚の板材を後端側で曲げ戻して、弾性変形させることにより前方に向かって嘴状に開閉させることができる形状に形成されている。
【００２７】
そしてクリップ３は、外力が作用しない単独の状態では後述する図１１等に示されるように大きく開いていて、クリップ３に前後方向に進退自在に被嵌された締め環４をクリップ３の前側寄りに移動させると図１２等に示されるようにクリップ３が閉じた状態に弾性変形し、後側寄りに移動させると図１１等に示されるようにクリップ３が自己の弾性によって開いた状態に戻る。
【００２８】
図１に戻って、クリップ３の最先端部分にはクリップ３の閉じ方向に向かって突出する一対の先端爪部３ａが向かい合う状態に折り曲げ形成されている。また、クリップ３の後端曲げ戻し部分は、先端爪部３ａを差し込み係合自在な寸法形状の後端連結孔部３ｂが環状に膨らんだ形状に形成されている。後端連結孔部３ｂの開口面はクリップ３の開閉方向と平行の向きになっている。
【００２９】
各クリップ３に形成された一対の先端爪部３ａは、クリップ３を閉じきった状態にしたときに互いにぶつかり合わずに食い違うように、折り曲げ位置を僅かに前後方向にずらして形成されており、後端連結孔部３ｂは、そのような一対の先端爪部３ａが緩く通されて内部で回動することができる程度の大きさに形成されている。
【００３０】
そして、二番目のクリップ３Ｂの一対の先端爪部３ａが一番目のクリップ３Ａの後端連結孔部３ｂ内に緩く差し込まれて、一番目のクリップ３Ａと二番目のクリップ３Ｂとがシース１の軸線周り方向に９０°向きを変えて直接連結され、連結部材５の一対の先端爪部５ａが二番目のクリップ３Ｂの後端連結孔部３ｂ内に緩く差し込まれた状態に連結されている。
【００３１】
クリップ３を強制的に閉じ状態にするための締め環４は、図２に示されるように略小判形の断面形状に形成されていて、その中にクリップ３が通されている。ただし、締め環４の断面形状が円形等であってもよい。
【００３２】
そして、図１に二番目のクリップ３Ｂの平面図が示されているように、クリップ３は締め環４の進退範囲（前端位置３ｆ〜後端位置３ｅ）だけが他の部分よりやや狭幅に形成されてその部分に締め環４が被嵌され、クリップ３は前後両端付近では幅が締め環４の内径より広く形成されて、締め環４が所定の進退範囲から逸脱できないようになっている。
【００３３】
なお、締め環４の外径サイズは、先端チップ７内に緩く嵌挿されるもののその先端開口7ａよりは大きく形成されている。したがって、締め環４が先端チップ７内で後方から前方に向かって（図１において右方から左方に）押し進められると、締め環４の先端面４ｄが先端チップ７の先端裏面７ｄにぶつかってそこで停止する。
【００３４】
そして、締め環４が、さらに後方から強く押されると複数のスリット７ｂで分断されている先端チップ７の先端開口７ａを弾力的に押し広げながら先端開口７ａ内を通過して、その前方に押し出されるようになっている。そのような動きがスムーズに行われるように、先端チップ７の先端裏面７ｄの先端開口７ａの周囲の壁面は４５度程度の斜面状に形成されている。また、前方に押し出された締め環４の後端面４ｅは、先端チップ７の先端表面７ｅの先端開口７ａの周囲の部分に当接する状態になる。
【００３５】
このように構成された実施例の内視鏡用クリップ装置において、本発明では、クリップ３がシース１内にある時は、締め環４が各クリップ３Ａ，３Ｂに対する進退範囲の前端付近に位置する状態にセットされ、その結果、各クリップ３Ａ，３Ｂが締め環４により閉じきられた状態になって、各クリップ３Ａ，３Ｂの先端部分がシース１の内周面に接触しないサイズに窄まっている。ただし、クリップ３は、シース１内で多少傾くことによりシース１の内周面に軽く接触した状態になる。
【００３６】
その結果、各クリップ３Ａ，３Ｂがシース１内にある時に、各クリップ３Ａ，３Ｂがシース１の内周面に引っ掛かった状態にならず、操作ワイヤ２を介しての遠隔操作により、クリップ３をスムーズに進退及び回転させることができる。
【００３７】
なお、締め環４がクリップ３に対する進退範囲の前端位置３ｆ又は前端付近に位置する状態をある程度安定して維持することができるように、締め環４をクリップ３にクリック係止等のように弾力的に係止するための締め環係止手段をクリップ３に設けてもよい。
【００３８】
図４及び図５はその一例のクリップ３の側面図と平面図であり、クリップ３の先端近傍の幅方向に段差３ｃを形成して締め環係止手段を形成したものである。また、図６及び図７は他の例のクリップ３の側面図と平面図であり、クリップ３の先端近傍の背部に外方に突出する突起３ｄを形成して締め環係止手段を形成したものである。なお、図４〜図７には、クリップ３を強制的に閉じた状態が図示されている。
【００３９】
このように構成された内視鏡用クリップ装置が使用される際には、図１に示されるように、シース１内で各クリップ３Ａ，３Ｂが各々締め環４により閉じきられた状態（即ち、締め環４がクリップ３に対する進退範囲の前端付近に位置していて、クリップ３の先端部分がシース１の内周面に接触しないサイズに窄まった状態）で、図示されていない内視鏡の処置具挿通チャンネルに通される。
【００４０】
そして、体内でシース１の先端を目標とする患部に向けたら、操作ワイヤ２を基端側から強く押し込む操作をすることにより、図８に示されるように、一連に繋がっている二つのクリップ３Ａ，３Ｂがシース１内で前方に移動して、一番目のクリップ３Ａが先端チップ７の先端開口７ａから前方に飛び出す。すると、締め環４の外径が先端チップ７の先端開口７ａの径より大きく形成されていることにより、締め環４の先端面４ｄが先端チップ７の先端開口７ａの周囲の先端裏面７ｄにぶつかり、それによって締め環４は、先端チップ７内に残されて、一番目のクリップ３Ａに対して相対的に後方に移動する。
【００４１】
その結果、図９に示されるように、一番目のクリップ３Ａがシース１の前方で最大限に広がった状態になる。そして、締め環４が一番目のクリップ３Ａに対する進退範囲の後端位置３ｅまで移動した状態になると、締め環４が一番目のクリップ３Ａによって前方に押されて、図１０に示されるように、締め環４が先端チップ７の先端開口７ａを押し広げる状態に弾性変形させながら通過する。
【００４２】
そのようにして、図１１に示されるように、一番目のクリップ３Ａと締め環４が先端チップ７から前方に押し出されるが、一番目のクリップ３Ａの後端連結孔部３ｂが先端チップ７の先端開口７ａの外縁に当接することにより、その位置で一旦停止する。その時、締め環４が一番目のクリップ３Ａに対する進退範囲の後端に位置していて、一番目のクリップ３Ａが自己の弾性によって最大限に広がっており、この状態で一番目のクリップ３Ａを目標患部に押し付けることができる。
【００４３】
そこで、図１２に示されるように、操作ワイヤ２を基端側に牽引操作すると、締め環４の後端面４ｅが先端チップ７の先端表面７ｅの先端開口７ａの周囲の部分に当接した状態で、最先端のクリップ３Ａの後半部分がシース１内に引き込まれ、締め環４がクリップ３に対する進退範囲の前寄りの位置に移動して一番目のクリップ３Ａが締め環４により強制的に閉じられて目標患部をきつく挟み付けた状態になり、操作ワイヤ２をそれ以上牽引操作することができなくなる。
【００４４】
そのようになったら、図１３に示されるように、操作ワイヤ２を強く先端側に押し込み操作して、先端チップ７の先端開口７ａを押し広げさせながら一番目のクリップ３Ａを先端チップ７の先端開口７ａから完全に前方に押し出し、さらに二番目のクリップ３Ｂを先端チップ７の先端開口７ａからある程度押し出せば、二番目のクリップ３Ｂが開くことにより、一番目のクリップ３Ａと二番目のクリップ３Ｂとの連結が外れて、図１４に示されるように、一番目のクリップ３Ａが目標患部をクリッピングした状態で体内に留置され、続いて、二番目のクリップ３Ｂによって次の目標患部に対するクリッピング操作を行うことができる状態になる。
【００４５】
なお、本発明は上記実施例に限定されるものではなく、例えば締め環４の断面形状を、図１５に例示されるように正方形の四つの辺の各中央部分が外方にＶ状に突出した断面形状等のように、径方向に変形可能な非円形の断面形状に形成してもよい。
【図面の簡単な説明】
【００４６】
【図１】本発明の実施例の内視鏡用クリップ装置の先端付近の側面断面図である。
【図２】本発明の実施例の内視鏡用クリップ装置の図１におけるII−II断面図である。
【図３】本発明の実施例の内視鏡用クリップ装置の全体構成の外観図である。
【図４】本発明の実施例の内視鏡用クリップ装置のクリップの第１の変形例の側面図である。
【図５】本発明の実施例の内視鏡用クリップ装置のクリップの第１の変形例の平面図である。
【図６】本発明の実施例の内視鏡用クリップ装置のクリップの第２の変形例の側面図である。
【図７】本発明の実施例の内視鏡用クリップ装置のクリップの第２の変形例の平面図である。
【図８】本発明の実施例の内視鏡用クリップ装置の使用時の動作を示す側面断面図である。
【図９】本発明の実施例の内視鏡用クリップ装置の使用時の動作を示す側面断面図である。
【図１０】本発明の実施例の内視鏡用クリップ装置の使用時の動作を示す側面断面図である。
【図１１】本発明の実施例の内視鏡用クリップ装置の使用時の動作を示す側面断面図である。
【図１２】本発明の実施例の内視鏡用クリップ装置の使用時の動作を示す側面断面図である。
【図１３】本発明の実施例の内視鏡用クリップ装置の使用時の動作を示す側面断面図である。
【図１４】本発明の実施例の内視鏡用クリップ装置の使用時の動作を示す側面断面図である。
【図１５】本発明の実施例の内視鏡用クリップ装置の締め環の変形例の断面図である。
【符号の説明】
【００４７】
１  シース
２  操作ワイヤ
３（３Ａ，３Ｂ）  クリップ
３ａ  先端爪部
３ｂ  後端連結孔部
３ｃ  段差（締め環係止手段）
３ｄ  突起（締め環係止手段）
４  締め環
４ｄ  先端面
４ｅ  後端面
５  連結部材
５ｂ  突起
７  先端チップ
７ａ  先端開口
７ｂ  スリット
７ｄ  先端裏面
７ｅ  先端表面
【図１】
2007275269.tif 000003
【図２】
2007275269.tif 000004
【図３】
2007275269.tif 000005
【図４】
2007275269.tif 000006
【図５】
2007275269.tif 000007
【図６】
2007275269.tif 000008
【図７】
2007275269.tif 000009
【図８】
2007275269.tif 000010
【図９】
2007275269.tif 000011
【図１０】
2007275269.tif 000012
【図１１】
2007275269.tif 000013
【図１２】
2007275269.tif 000014
【図１３】
2007275269.tif 000015
【図１４】
2007275269.tif 000016
【図１５】
2007275269.tif 000017